(57)【特許請求の範囲】
【請求項１】
金属製容器（１１）の蓋であって、
前記蓋は、
切り込み線（１４）によって規定される封止部（１２）を有する封止壁（３０）と、
前記切り込み線（１４）にまたがって配置された開蓋レバー（１６）とを備え、
前記開蓋レバー（１６）は、機械的部材（２８）、可撓性タブ（２６）及び前端支点（２０）を備え、
前記前端支点（２０）は前記切り込み線（１４）の前部（１８）の前方に配置され、
前記機械的部材（２８）は、上部当接頭部（２９）を有し、前記可撓性タブ（２６）を前記封止部（１２）に機械的に取り付け、
前記上部当接頭部（２９）の外周が描く曲線は、前記切り込み線（１４）の描く曲線と前記前部（１８）において接し、
前記封止壁（３０）は、前記前端支点（２０）の下方において前記開蓋レバー（１６）側に突出した中心支持隆起（６８）を有し、
前記中心支持隆起（６８）の全体が、前記開蓋レバー（１６）によって覆われていることを特徴とする蓋。
【請求項２】
前記切り込み線（１４）は、２つの対称形の曲線部（２１）を有し、
前記２つの対称形の曲線部（２１）の各一端は、前記前部（１８）において合流し、
前記２つの対称形の曲線部（２１）の各他端は、互いに分離し、
前記封止壁（３０）は、補強端（７４）を有し、
前記補強端（７４）は、２つの端部を有する連続した曲線から構成され、前記切り込み線（１４）の互いに分離した２つの他端及び前記切り込み線（１４）の前記機械的部材（２８）に対して前端支点（２０）と反対側の領域を囲み、
前記補強端（７４）の２つの端部は、前記前部（１８）側に位置し、互いに隔離していることを特徴とする請求項１記載の蓋。
【請求項３】
前記２つの対称形の曲線部（２１）の互いに分離した他端は、それぞれＪ字形状の分岐（１９）により終端されたことを特徴とする請求項２記載の蓋。
【請求項４】
前記封止壁（３０）は、
前記２つの対称形の曲線部（２１）に挟まれた中心補強および補強スタッド（７０）を有し、
前記中心補強および補強スタッド（７０）は、前記補強端（７４）より前記機械的部材（２８）側に位置し、前記封止壁（３０）から前記開蓋レバー（１６）側に突出することを特徴とする請求項２又は３記載の蓋。
【請求項５】
前記２つの対称形の曲線部（２１）が合流する箇所において突出部（７６）を有し、
前記切り込み線（１４）の最大幅（Ｗ）に対する前記突出部（７６）の最大幅（Ｗ１）の比が０．１８〜０．２３であり、
前記封止壁（３０）の半径（Ｒ）に対する前記突出部（７６）の長さ（Ｗ２）の比が０．１５〜０．２０であることを特徴とする請求項２乃至４のいずれか１項記載の蓋。
【請求項６】
前記封止壁（３０）は、２つの横方向の中心合わせ突起部（６０）を有し、
前記２つの横方向の中心合わせ突起部（６０）は互いに隔離し、
前記前部（１８）側において前記開蓋レバー（１６）を挟持可能に配置されている
ことを特徴とする請求項１乃至５のいずれか１項記載の蓋。
【請求項７】
前記封止壁（３０）は、前記封止部（１２）から前記開蓋レバー（１６）側に突出するレバー位置決めスタッド（６２）を備えることを特徴とする請求項１乃至６のいずれか１項記載の蓋。
【請求項８】
前記封止壁（３０）は、前記開蓋レバー（１６）側に突出する中心スタッド（６４）を有し、
前記開蓋レバー（１６）は、把持リング（２５）を有し、
前記中心スタッド（６４）は前記持リング（２５）に嵌合することを特徴とする請求項１乃至７のいずれか１項記載の蓋。
【請求項９】
請求項１乃至８のいずれか１項記載の蓋を備える容器。
【発明の詳細な説明】
【技術分野】
【０００１】
本発明は、蓋およびその蓋を備える容器に関する。蓋およびその蓋を備える容器は、通常、特に限定されるものではないが、人間または動物の食用／飲用物（例えば飲料、一般の食品、補助食品、医薬用原料、化粧品）を容れるために用いられる。これらの内容物は、流体または液体状、または固体（例えば粒または粉または他）であることができる。
【０００２】
本発明による蓋は、特定の製品（例えば種、研究室用製品、化学製品または他）のための密閉容器を作製するために用いることもできる。
【０００３】
特に本明細書で我々は、好ましくはアルミニウム製だけに限らない、蓋およびその蓋を備える対応する容器について言及する。そして、蓋およびその蓋を備える対応する容器は、注出開口部を密封して閉じるための封止部またはストッパ要素を設ける。まず初め、封止部は蓋と一体化している。そして次に、封止部が少なくとも部分的に引かれるときに注出開口部を形成させるが、封止部と蓋は一体化したままである（「ステイオンタブ」）。変形例によると、封止部は中身を注出するための開く間に、蓋から完全に切り離される。そして蓋の表面に、出口開口部または仕切りを作成する。
【０００４】
特に本発明は、蓋およびその蓋を備える容器に関し、封止部は、引いて開ける工程で、段容器内に入ることがない。すなわち本発明は、衛生的な蓋および容器、または、より詳しくは、異物混入を生じない蓋および容器に関する。
【０００５】
内部に含むものに応じて、本発明による容器は金属製の内面を有することができる。または内面は、密着した、内容物に適した材料の保護膜であるか、または内容物と外部容器との接触を防止する、密着した、内容物に適した材料の保護膜を有することができる。
【背景技術】
【０００６】
本出願人による、国際公開第２００９／０３０５２６号および国際公開第２０１１／００１２７３号は公知である。上記は、蓋および、物質を含む蓋を備える容器に関し、プルオープン封止部を備える。そして、封止部を開けても、封止部と蓋は一体化したままである（「ステイオンタブ」）。上記の公知文献において、開蓋レバーを封止部に結合するリベットを設ける。リベットは、封止部を定める切り込みの線内に配置される。
【０００７】
米国特許第４５０３９８９号も公知である。そこには、「ステイオンタブ」構成を成すために、開いた外形を有する切り込みの線が定める、プルオープン封止部を有する蓋についての記載があり、そして、一体化したリベットを用いて、封止部に結合される開蓋レバーが提供され、切り込みの線が定める外周に配置される。
【０００８】
米国特許第３７７３２１０号もまた公知である。そこには、完全に除去できる封止部を得るために、閉じた外形を有する切り込み線が設けられたプルオープン封止部を有する蓋についての記載がある。この場合も、封止部（切り込み線の閉じた外形に配置される）に開蓋レバーを結合させるために、リベットが設けられる。
【先行技術文献】
【特許文献】
【０００９】
【特許文献１】国際公開第２００９／０３０５２６号
【特許文献２】国際公開第２０１１／００１２７３号
【特許文献３】米国特許第４５０３９８９号
【特許文献４】米国特許第３７７３２１０号
【発明の概要】
【発明が解決しようとする課題】
【００１０】
内容物が人間または動物の食用／飲用である場合には、封止部のわずかな部分さえ容器内に入らないことが保証され、結果として、内容物への異物混入を防止する必要性が強く意識される。換言すれば、衛生的である蓋および容器を生産することが必要である。これは、外部からの異物混入、または汚染物質（例えば塵、ほこり、細菌、バクテリアまたは他の病原体）の混入を防止するということである。
【００１１】
一時的であったとしてもまったく未知の物質が蓋の上に置かれうる場合や覆いがないか保護されていない場所に容器が置かれる場合、この必要がより一層強く求められる。この場合、例えば容器に飲料や薬が含まれており、そして、この封止部がこれらの内容物を容器内部に含んだ状態で封止し運ばれるならば、使用者にとっていっそう危険な状態が作られるかもしれない。
【００１２】
医薬物質を摂取するときに示されるように、物質を摂取する人間または動物の病態が、混入物、汚染物質または病原体を維持（許容）することができない場合、この必要性が一層強く意識される。
【００１３】
本願出願時の技術水準における公知の機構では、容器の開蓋時に、封止部の最小限の部分であっても、一時的にでも、容器内部に向かうか面するかもしれないという不利な点を被りうる。したがって衛生および健康問題を生じさせる。
【００１４】
加えて公知の機構では、衛生および／または非汚染の保証がないので、この種の蓋を有する容器の使用に対して制限がある。この制限によって、汚染物質または汚染されてはならない物質の輸送または貯蔵のためのこの種の容器の使用は制限される。
【００１５】
さらにまた公知の機構では、内容物の種類が制限される。従って、限られた時間に充分な量の空気が通過する（液体が抜けるために乱流が起きる）、特定の場合には適さない。
【００１６】
従って、技術水準の不都合の少なくとも１つを克服することができる、物質入り容器のための蓋および、その蓋を備える物質入り容器を完成する必要がある。
【００１７】
特に、本発明の目的（例えば飲料のための衛生的な容器の蓋として広く適用可能）は、公知の解決策の欠点を克服し、そして、特に国際公開第２００９／０３０５２６号および国際公開第２０１１／００１２７３号で表される発明概念を改良し、完成し、今までになかった新しい利点を得ることことにある。
【００１８】
具体的に本発明は、開ける間の、内容物の衛生および非汚染を実質的に保証する封止機構を獲得することを提案する。そして、開蓋間に封止部のわずかな部分さえ容器に入らないようにする。
【００１９】
実際、封止部の通常の構造およびその封止部に結合される開封機構では、開蓋前に完全に清潔にすることは単純でもなく、容易でもないのを忘れてはならない。
【００２０】
事実、切り込み線が均一でない可能性や、あるいはさまざまな方向で蓋の金属シートに影響を及ぼしうる弱化した線や、あるいは許容度または他の理由の問題のため、開蓋レバーを備える封止部にしっかりと結合するリベットまたは機械的挟持部材から、封止部の端が少しでも突出するなら、特定の場合に、突出部分が曲がりそして蓋の下面の下に入り、結果として、混入または汚染という、無制限の危険度を引き起こす。混入または汚染は、双方向という場合もあり得る（すなわち、外部から内部だけでなく、内部から外部へ）。
【００２１】
封止部の一部が少しだけ入る場合であっても絶対的な衛生は保証されないし、また異物混入の危険も防止できない。
【００２２】
混入または汚染が時々しか発生しないとしても、このデメリットにより、飲料または食品、更には医薬物質、補助食品、化学製品または特定製品（例えば種または研究室用製品等）を含む容器の蓋の使用は大幅に制限される。
【００２３】
さらに、封止部の位置は、容器内の材料（流体、液体、糊、顆粒状、粉またはその他）次第であり、更に、その材料を取り除いておよび／または移動させるために用いる器具にも依存するので、蓋の周縁に関係なく封止部を配置することも、本発明の目的である。
【００２４】
発明の目的はまた、型およびその型で成し遂げうる生産サイクルで与えられる異なる構造のために、多くの点において、同じ保証を備える最も進んだ生産計画を超えることができる値で、非常に高い蓋の生産計画を得ることである。
【００２５】
要望通りの標準の蓋を特徴づける際に、くぼみと隆起、および封止部を定めることができる切り込みやプレカットまたは切断線を獲得するだけでなく、レバーを配置し、そのレバーを正確かつ所定の方法で蓋に取り付ける必要があることに注意を要する。
【００２６】
技術水準の欠点を克服し、これらの目的とその他の目的および利点を得るために、出願人は、本発明を考案して、テストして、実施した。
【００２７】
本発明は独立クレームにおいて記載され特徴づけられる。その一方で、従属クレームは主発明概念に対する本発明または変形例の他の特徴について記載する。
【００２８】
上記の目的によると、物質（例えば流体、液体または固体、粉、顆粒、または他の固体形状）を含むことが可能な容器（例えば通常金属製）のための衛生的なおよび／または混入防止の蓋として、技術水準の欠点を克服し欠陥を解決する本明細書による蓋を用いることができる。
【課題を解決するための手段】
【００２９】
ここに記載されるいくつかの実施形態によれば、蓋は、
切り込み線によって規定される封止部と、
切り込み線全体にまたがって配置される開蓋レバーであって、その切り込み線の前部の前方に配置される前端支点及び封止部に取り付けられる可撓性タブを有する中間部材を備える、開蓋レバーと、
可撓性タブを封止部に機械的に取り付けられるように構成され、上部当接頭部が設けられた機械的部材と、を備える。
【００３０】
本発明によれば、上部当接頭部の外周部材が切り込み線に直交するよう位置を合わせられる場合、機械的部材は切り込み線の前部に原則的に接触して配置される。
【００３１】
本発明によれば、封止部はしたがって、いかなる形であれ容器に入ることなく（技術水準においては起こる）、レバーで完全に持ち上げられるが、常に蓋に取り付けられたままであってもよい。
【００３２】
本発明のいくつかの実施形態によると、封止部は蓋に固定されたまま（「ステイオンタブ」）で、更に、封止部が完全に切り離され、蓋から取り除かれるという両方を提供するので、使用者がレバー対してアクションを起こすときに封止部を定める切り込み線は、可変外形の断面積を有する。すなわち、一定の外形の横断面を有さないが、一方では、引き始めを容易にし、もう一方で最終的な開口を良くするようなものである。
【００３３】
さらに、例えば通常の飲料または一般的に多くの泡を生じない飲料のための小さな封止部、または、例えば多くの泡を生じる飲料（一般的なビールまたは粒状化飲料または他）のための大きな封止部を定めるために、切り込みの線はサイズ決めされ、本発明を実施することができる。
【００３４】
本発明のいくつかの実施形態によると、構成（製造）間、機械的部材（特に蓋の材料で獲得）および開蓋レバーの正しい取付けを保証する特定の手段および装置もまた設けられ、よって、多量生産の場合も無駄を防止する。
【００３５】
本発明のいくつかの実施形態によると、自動位置決め工程および一体化工程の間、開蓋レバーの完全な位置決めを保証するための手段を設けることもできる。このように、蓋の生産性と、質と、作業性とを改良する。
【００３６】
本発明の考えられる特徴は、いくつかの実施形態において、封止部が開く時または開いている間、容易に蓋から分離せず、したがって汚染を引き起こさないことを確実にするために、切り込み線の正確な形態を提供することである。
【００３７】
本発明のいくつかの実施形態によると、くぼみはまた、定められた形態を備え、例えば深さは徐々に浅くなり、封止部を含むかまたは囲み、提供されうる。この形態により開蓋レバーの動作を改善し、同時に、例えば二酸化炭素または不活性気体（例えば窒素）といった、容器に存在する物質中に考えられるガスの推力下での、膨張や、不必要な蓋の変形を防止する。
【００３８】
本発明はまた、いかなる物質のための容器（ここで記載の実施形態による蓋を備えるものは何でも）にも関する。
【００３９】
本開示内容のこれらの、そしてまた他の、態様、特徴および利点は、以下の説明、図面および添付の請求の範囲に関してよりよく理解される。一体化され、本明細書の一部をなす図面は、本発明のいくつかの実施形態を示し、説明と共に、本開示内容の原理を記載することを目的とする。
【００４０】
本明細書に記載されるさまざまな態様および特徴は、可能ならば個々に適用されることができる。これらの個々の態様（例えば添付の従属クレームに記載される態様および特徴）は、分割出願の対象であることができる。
【００４１】
特許プロセスの間に発見されるいかなる態様または特徴も、すでに公知であるために、請求されず、ディスクレームの対象であるものと理解される。
【００４２】
本発明のこれらの特徴および他の特徴は、以下のいくつかの実施形態の説明より明らかになる。そして、添付の図面を参照して非限定的な実施例として与えられる。
【図面の簡単な説明】
【００４３】
【図１】例えば容器に設ける、ここで説明する実施形態による蓋の斜視図である。
【図２】ここで説明する実施形態による、上から見た蓋の平面図である。
【図３】ここで説明する実施形態による、下から見た蓋の平面図である。
【図４】ここで説明する実施形態による蓋の横断面である。
【図４ａ】図４の拡大詳細図である。
【図４ｂ】図４の変形例の拡大詳細図である。
【図５】１つの生産工程間の、ここで説明する実施形態による蓋の一部の断面である。
【図６】もう１つの生産工程間の、ここで説明する実施形態による蓋の一部の断面である。
【図７】開いた形状の、ここで説明する実施形態による、上から見た蓋の平面図である。
【図８】開いた形状の、ここで説明する実施形態による、下から見た蓋の平面図である。
【図９】容器に設けられる、部分的に閉じた状態の、ここで説明する実施形態による蓋の略図である。
【図１０】容器に設けられる、開く工程における、ここで説明する実施形態による蓋の略図である。
【図１１】容器に設けられる、開いた形状の、ここで説明する実施形態による蓋の略図である。
【図１２】図１１の拡大詳細図である。
【図１３】例えば容器に設けられる、本明細書による蓋の他の考えられる実施形態の斜視図である。
【図１４】例えば容器に設けられる、本明細書による蓋の他の考えられる実施形態の斜視図である。
【図１５】例えば容器に設けられる、本明細書による蓋の他の考えられる実施形態の斜視図である。
【図１６】例えば容器に設けられる、本明細書による蓋の他の考えられる実施形態の斜視図である。
【図１７】例えば容器に設けられる、本明細書による蓋の他の考えられる実施形態の斜視図である。
【図１８】生産の流れを改良し、同時に使用を改善する、ここで説明する実施形態による蓋の進歩した変形例を示す。
【図１９】ここで説明する実施形態による蓋の切り込み線およびくぼみ―隆起の線両方を概略的に示す
【図２０】ＡからＡまでの図１８の蓋の縦断面である。
【図２１ａ】切り込み線が展開するさまざまな部分の切り込み線の横断面の外形の、考えられる形態の実施形態を示す。
【図２１ｂ】切り込み線が展開するさまざまな部分の切り込み線の横断面の外形の、考えられる形態の実施形態を示す。
【図２１ｃ】切り込み線が展開するさまざまな部分の切り込み線の横断面の外形の、考えられる形態の実施形態を示す。
【図２２】本明細書による蓋の他の変形実施例を示す。
【図２３】本明細書による蓋の他の変形実施例を示す。
【発明を実施するための形態】
【００４４】
理解を容易にするために、可能な場合は、図面の同一の共通素子を識別するために、同じ参照番号を使用する。実施形態の一形態の要素及び特性は、さらなる説明がなくても、実施形態の他の形態に好適に組み込むことができることを理解されたい。
【００４５】
我々はこれより、１つ以上の実施例が添付の図面に示される、本発明のさまざまな実施形態を、詳細に言及する。各実施例は、本発明の例証として与えられ、限定するものとして解釈されない。例えば、示されるかまたは記載される特徴は、１つの実施形態の一部であるので、他の実施形態を生じる他の実施形態に、採用または関連することができる。本発明がすべてのこの種の変更態様および変形例を含むものと理解される。
【００４６】
物質（例えば流体、液体、粉、顆粒または他の固体の状態、具体的には注ぐことができる物質）を含むことが可能な容器１１のための蓋として使用できる、本明細書による蓋１０の実施形態を説明するために、図１、２、３および４を用いる（飲料、一般の食品、食品補助食品、医薬物質といった、人間または動物の飲食用物質）。
【００４７】
例えば、液体物質は、炭酸飲料、清涼飲料、アルコール飲料、果物ジュース、お茶、浸出液、ビール、栄養ドリンクまたはその他といった、飲料であることができる。
【００４８】
容器１１を、例えば缶の容器として構成することができる。
【００４９】
蓋１０および容器１１の材料は各々異なることが可能であるが、含まれる物質と密着し、かつ適合できることを考えれば、一般的に、蓋１０および容器１１は、例えばアルミニウムまたはそれらの合金または鉄系金属（特に鋼系）で作製することができる。例えば、ガスが添加されるかまたは発酵により生成するガスを含む、すなわち炭酸飲料では、通常、蓋１０はアルミニウムまたは鉄またはそれらの合金で作製されることができる。
【００５０】
また、適切なコーティング（例えば密着しており内容物が必要とするものに適合する保護フィルム）で、容器１１および蓋１０の内部を覆うこともできる。内容物および／またはその内容物が含められる時期に応じて、プラスチック、セラミックまたは他の類似材といった材料で、保護部材を設けることもできる。好ましくは（しかし必然ではない）、コーティングは、内部容器の表面１１と安定的に一体化される。
【００５１】
容器１１の平面サイズは蓋１０の平面サイズとほぼ同じか、より大きいまたはより小さくすることができる。このようにして例えば、容器１１は蓋１０と同じ直径を有することができるか、または、より大きいか、より小さい直径を有することができる。
【００５２】
蓋１０がイージーオープンタイプである、いくつかの実施形態（後述）を設ける。
【００５３】
本明細書によれば、蓋１０は、切り込み線またはプレカット１４が定める封止部１２を備える。封止部１２は、蓋１０の表面の一部である。
【００５４】
切り込み線１４は周辺的に注出開口部１５の境界を区切ることができる。そして、注出開口部１５は封止部１２によって常に閉じられており、そして注出開口部１５から、含まれる物質を容器１１に分配または注入することができる。
【００５５】
考えられる実施形態によると、切り込み線１４が区切る封止部１２および、これより定められる注出開口部１５は、例えば、約２４．０ｍｍ〜約２４．５ｍｍ、特に２４．１ｍｍ〜２４．４ｍｍの最大幅Ｗを有する。
【００５６】
封止部１２は持ち上げられるか、または蓋１０から分離することができ、そして注出開口部１５を形成する。
【００５７】
ここで説明される考えられる実施形態として蓋１０がステイオンタブを有するタイプのものが提供される。この目的のために、本実施形態によれば、切り込み線１４は途中まででよい。すなわち、切り込み線１４は開いた外形を有することができ、例えば少なくとも部分的にカーブする形状か、またはいずれの場合も混合曲線形／線形で伸びる。切り込み線１４は途中まででよく、すなわち、開いた外形を有し得るという事実は、一旦蓋１０から持ち上げられると、周りに捲き散らすようないかなる危険なしに、いずれの場合も封止部１２を蓋に結合したままにでき（ステイオンタブ）、そして汚染を防止することを意味する。
【００５８】
図１８は、蓋１０の実施形態を記載するために用いられる。図１８では、切り込み線１４の伸びがどのように形成されているかをみれば、すなわち封止部１２には持ち上げられるときに末端の分岐１９または返し（応力を吸収する弾性作用を伴う外側へカーブする切り込み線１４の部分）があるので、例えば裂けるといった、残っている蓋１０からの分離が困難であり、封止部１２が裂けるのを防止できることが理解される（例えば図２、３、１８を参照）。
【００５９】
ここで記載されるすべての実施形態と組み合わせ可能である他の実施形態において、切り込み線１４には間断がない、すなわち、閉じた外形を有することができる（例えば図１４参照）。このようにして、一旦持ち上げられ引っぱられると、封止部１２は切り離され、完全に蓋１０から取り除かれ、除去される。例えばサンプリングまたは分析機器を用いて、容器１１に含まれる物質について調べるために機器の介在が必要な場合にも本実施形態は役立つ。すなわち、これらの機器は、蓋１０上の封止部１２の大半を占有することなく、注出開口部１５を通過できる。
【００６０】
切り込み線１４は、所定の割れ外形（封止部１２が引かれ、分離されることができる）を、定めるプレカット線である。切り込み線１４は、技術水準の公知の技術に従って作製することができる。
【００６１】
図４ａは、一点に向けられる切り込み線１４（例えばＶ型）が対向して２つ設けられる切り込みを用いて作られる実施形態を示し、他方、図４ｂは、一点に向けられる切り込み線１４（この場合も例えばＶ型）が１つだけの場合の実施形態を示している。図２１ａ、２１ｂ、２１ｃは、切り込み線１４の他の考えられる実施形態を示している。
【００６２】
具体的に、切り込み線１４は前部１８を備えることができ、この場合は例えば曲線形であり、またはいかなる場合も曲線の切片で形成される。
【００６３】
考えられる実施形態では、前部１８の反対側に、２つの末端の分岐１９（例えば図１、２、７〜１１、１８、１９を参照）と共に、切り込み線１４の曲線の開いた外形を設ける。その目的は、開いている間または開くときに、封止部１２が蓋１０の残り部分から分離する（例えば裂ける）のを防止することである。
【００６４】
ここで記載されるすべての実施形態と組み合わせ可能でありえる、他の考えられる実施形態において、例えば、封止部１２を蓋１０に結合した状態のまま保持するか、または容易かつ完全に分離するかどうかを使用者が決められることが望ましいとき（図１４）、切り込み線１４の曲線の開いた外形は、直線部分１７（すなわち末端の分岐１９なし）で終わることができる（例えば図１３を参照）。
【００６５】
図１８、１９、２０、２１ａ、２１ｂ、２１ｃを用いて記載される実施形態によると、切り込み線１４は、切り込み線１４の場所によって異なる断面形状が提供されうる。特に変形例によると、切り込み線１４は、少なくとも２つ、またはこの場合３つの切り込みレベルを提供することができる（例えば図２１ａ、２１ｂ、２１ｃを参照）。
【００６６】
次に、この切り込みに関して、例えば約０．２５ｍｍの厚さを有するアルミニウム製の蓋１０について説明する。
【００６７】
切り込み線１４の一部には第１レベルの切り込みが作られる。それは、角度領域内（図１９を参照）に含まれる切り込み線１４の一部分であり、角度領域の角度は約４０〜８０度で、好ましくは約５０〜７０度である。
【００６８】
特に、図２１ａに示される第１レベルの切り込みには、角度βの切り込み１４ａが設けられるか、または４０〜６０度（好ましくは約５０度）である切り込みの開き角度が設けられる。
【００６９】
好ましくは、容器に存在する物質の種類や内容物がガスを含むかにより、角度βの広さや切り込み１４ａ、１４ｂ、１４ｃ（図２１ａ、２１ｂ、２１ｃを用いて記載）の開き角度の広さなどを、選択および設計することができる。または容器内部に圧力がかかっている場合、ガスが放出されるときに、開く第１段階で例えば起こりうる漏れ／破裂の現象につながる課題またはデメリットを防止できるようにも、選択および設計される。
【００７０】
切り込み１４ａは、蓋１０の材料の切り込み１４ａの深さ５５ａに相関し、従って、蓋１０の材料の厚み５６に相関する幅を有するベース５５を提供する。
【００７１】
好ましくは、図２１ａ、２１ｂ、２１ｃを用いて記載される切り込み１４ａ、１４ｂ、１４ｃのベース５５の幅は、容器内の物質に応じて、そして、物質が炭酸ガスを含むかどうかに応じて選択および設計することもでき、この場合は、漏れ／破裂の現象につながる、開蓋時の課題またはデメリットも防止する。
【００７２】
考えられる実施形態によれば、厚み５６と深さ５５ａの違いは、例えば図２１ａの角度領域αの場合、約０．１１４ｍｍで、０．１１０ｍｍから０．１２０ｍｍまで可変な残厚５６ａを定める（図２１ａ参照）。
【００７３】
図２１ｂおよび２１ｃは、それぞれ対応する切り込み１４ｂおよび１４ｃによって規定される、第２レベルおよび第３レベルの切り込みを示しており、このように、深さ５５ａや厚み５６が異なる場合もありうる。
【００７４】
切り込み線またはプレカット線１４の末端の分岐１９を定める領域では、切り込み線１４は、切り込み１４ｃによって規定される第３レベルの切り込み（残厚５６ａは０．１５０ｍｍ〜０．１６０ｍｍ、好ましくは約０．１５５ｍｍ）が設けられる（図２１ｃを参照）。
【００７５】
切り込み線またはプレカット１４の残部、すなわち、角度領域αに含まれず、そして、末端の分岐１９でもない部分では（図２１ｂ）、切り込み１４ｂ（残厚５６ａが０．１６０ｍｍ〜０．１７０ｍｍ、好ましくは約０．１６５ｍｍ）で規定される第２レベルの切り込みが設けられる。
【００７６】
このようにして、特に切り込み１４ａが設けられる角度領域αでは、開蓋時の最初の破断が容易となる。そして、特に切り込み１４ｃがある末端の分岐１９の領域では、封止部１２が蓋１０から分離しにくくして、分離を防止する。
【００７７】
切り込み１４ａ、１４ｂ、１４ｃの深さや開口の角度の幅または大きさなどの特徴が様々に変化しうることは明らかである。例えば、図１４を用いて記載される実施形態の場合、図１４ｃを用いて記載される切り込み１４ｃは、なくても良い。考えられる実施形態によれば、蓋１０は封止部１２を開くために、開蓋レバー１６も備える。
【００７８】
開蓋レバー１６は、切り込み線１４にまたがって、部分的に封止部１２より上に、そして、部分的にその外側に配置される。本明細書によれば、開蓋レバー１６は一端で蓋１０上の支点部を有することができ、対向端部では、持ち上げられることができる。開蓋レバー１６は、中間位置で封止部１２に取り付けられる。
【００７９】
例えば開蓋動作の効果を高めるために、開蓋レバー１６を、蓋１０（図２、３、７、８および１８）の中央の軸Ａに沿って配置することができる。
【００８０】
考えられる実施によれば、開蓋レバー１６は、前部１８の前方に配置される前端支点２０と、封止部１２に取り付けられる可撓性タブ２６とを備える中間部材２３を備える。可撓性タブ２６は曲げ端部３７周辺でたわむように構成され、中間部材２３と一体化している（例えば図６、９、１０、１１および１２を参照）。
【００８１】
例えば、開口２４の内部の方向へ突き出る、可撓性タブ２６を定める半円形拡張部と共に、開口２４を中間部材２３に設けることができる。
【００８２】
開蓋レバー１６は、前端支点２０の反対側に後部可動端部２２を備えることもできる。考えられる実施では、後部可動端部２２には、使用者が開蓋レバー１６を持ち上げて、回転させるために容易に把持できる把持リング２５を備えることができ、把持リング２５は前端支点２０を軸に回転する。把持リング２５は、穴２５ａの境界を区切ることができる（図２、３、８および１８を参照）。
【００８３】
切り込み線１４の外側には前端支点２０が配置される。このようにして、開蓋レバー１６が前端支点２０周辺で回転するときに、開蓋レバー１６は切り込み線１４の外側の位置を押圧することができる。好ましくは、開蓋レバー１６の単一の枢支点を原則的に定めるように前端支点２０を構成することができる。
【００８４】
ここで示されるいくつかの実施態様によれば、開蓋レバー１６の動作は第２の段階を取りうる。すなわち、力が作用する位置（封止部１２につながっている）が、支点（すなわち前端支点２０）と、上方への力が加えられる位置（すなわち後部可動端部２２）の間の中間にあるため、これは常に有利である。
【００８５】
本明細書によれば、機械的挟持部材２８を設けることができる。そして、可撓性タブ２６を封止部１２に機械的に取付けまたは結合するように構成する。特に、挟持部材２８を切り込み線１４の内側に設ける。図４、５、６、１９および２０を用いて記載される実施形態で、機械的挟持部材２８は、好ましくは蓋１０と同じ材料で得ることができる。機械的挟持部材２８は、開蓋レバー１６と協働するよう、特に対応する可撓性タブ２６と協働するように構成される、上部当接頭部またはおおい２９を備え（図６）、蓋１０を開蓋レバー１６と一体化させる。特に、外周部材または外縁部材５７は、上部当接頭部またはおおい２９を周辺的に区切る。そして、製造時に用いる技術に依存し、例えば、曲線形であってもよい（特に円形、楕円、卵形）。
【００８６】
本明細書によれば、機械的挟持部材２８を基本的に切り込み線１４の前部１８と接触して配置することができる。実質的または原則的に接触することによって、ここで機械的挟持部材２８の上部当接頭部またはおおい２９の外周部材または外縁部材５７が切り込み線１４に直交して配置される。そして特に、切り込み線１４の横断面の内部に直交して配置される。すなわち、開蓋レバー１６の前端支点２０へ向かって最も進んだ拡張部では、上部当接頭部またはおおい２９の外周部材または外縁部材５７の正射影は、切り込み線１４の断面内に位置するかまたは収まる（図２、６および２０）。
【００８７】
このように一定の条件では、機械的部材２８の中心は、開蓋レバー１６の前端支点２０から可能な限り近くにある。
【００８８】
従って、機械的部材２８は、大半の封止部１２および可撓性タブ２６の内側に設けることができる。
【００８９】
構造上本来的に切り込み線１４の前部１８と接触することになるこの機械的部材２８の配置によって、一時的にすら容器１１内部に入る部分は一切存在せず、そして、内部に含まれる物質と接触して汚染することなく、封止部１２を開けることができ、このようにして、完全に衛生的な封止部が得られ、すなわち異物の混入を防止する。これは、内容物が人間または動物の食用／飲用の場合、または、一般に、蓋１０の下部面下に封止部が不必要に入ってきても絶対に汚染されてはならない場合に、極めて重要である。
【００９０】
この引くことがもたらす結果が、製造されるすべての蓋に対して、反復可能かつ正確かつ信頼性が高いので、この配置のおかげで材料上の引く力が均一に分配され、封止部１２を持ち上げ引き易くし、有利となりうる。
【００９１】
有利な実施形態において、角度領域αの切り込み線１４の切り込み１４ａ（図２１ａ）には、切り込み線１４の残部（図２１ｂおよび２１ｃ）の切り込みレベルに関して違いがあると特に考えると、引く動作は切り込み線１４の横断面の外形の違いによっても容易となる。
【００９２】
ここで、蓋１０を構成する材料（すなわち通常いくつかの圧延パスにより次第に薄くされる金属シート）では、主に材料が受ける作業のため、標準的に弱化、ひびまたは切断が内在する線を有しうると指摘しなければならない。
【００９３】
特に、鋳造材では、例えば気孔、気泡、更にはマクロ介在物といった不連続部が、そして、例えば、線の弱化、ひびまたは切断が起こる位置が形成されるまでは、さまざまな圧延によって伸ばすことが可能である、不均一で、硬く、圧延不可能な材料の集合が存在する。
【００９４】
線の弱化、ひびまたは切断の存在および位置を予見することはできないので、従って、封止部１２を引く間、予想されるように、応力をかけられる材料の性質に関しては不確実である。不確実であるので、失敗するか、正確でない引っ張りと開口部となる。この不必要かつ予知できない動作は、製品を市場に出すことの観点から不利益であり、更に最終的な使用者にとって潜在的に危険でありえる。
【００９５】
線の弱化、ひびまたは切断が存在する可能性にかかわりなく、機械的部材２８（原則的に切り込み線１４の前部１８に接触する）の位置は、この課題を解決し、引く動きを均一かつ信頼性が高くかつ正確にする。
【００９６】
例えば図２、３、４、６および２０に示すことができるように、機械的部材２８は機械的押し留め（ｃｏｎｓｔｒａｉｎｔ）として構成され、可撓性タブ２６を貫通し、可撓性タブ２６を封止部１２に押し付ける。
【００９７】
考えられる実施によれば、示されるように、機械的部材２８は一体化することができる。すなわち、一つの物体で、蓋１０または、封止部１２と一体化する。
【００９８】
例えば、機械的部材２８は、材料を可撓性タブ２６に作られる穴２７を通過させるように、封止部１２の材料を変形させることによって、公知の方法で得ることができる（例えば図５参照）。そして、続いて、材料を圧縮し、上部当接頭部またはおおい２９作成し、封止部１２を可撓性タブ２６（例えば図６を参照）と一体化させる、頭部またはリベット動作を提供する。
【００９９】
考えられる実施形態によると、可撓性タブ２６を封止部１２と一体化させる機械的部材２８と協働して、両方の厚みを薄くすることができる。例えば、低下した断面部を有する部分を設けることができるか、または、機械的部材２８の形成に続いて作られる、封止部１２の収縮部１２ａを設けることができる（図６および図２０の拡大詳細図を参照）。
【０１００】
他の考えられる実装によると、機械的部材２８は金属部品を接合するために使用される、中まで同じ物質のリベットであることができる。すなわち、平らな、先端を切った円錐または半球形ヘッドを有する釘である。しかし、これらの変形例が異なる生産サイクル時間を伴うことは言うまでもない。
【０１０１】
他の考えられる実施において、機械的部材２８は中空のリベットであることができる。すなわち、接合素子は、中まで同じ物質のリベットと類似しているが、中央に穴があいており、小穴のような形である。そして、通常は二重頭釘で形成される。一般的に、蓋１０を作る方法は、１本のアルミニウムまたはその合金からシンプルな蓋を型に入れて作る。ほとんどの場合、マグネシウム・アルミニウム合金（例えば通常は５１８２―Ｈ４８）、または鉄系または鉄合金（特に鋼、例えば軟またはステンレス鋼）、例えば錫めっき、または、いずれかでコートされているものやコートのないもの、である。
【０１０２】
成形された蓋１０（平坦または、実質的に平坦な内部面を有しうる）は、それらを本発明のイージオープン蓋１０に変換する生産ラインで、供給される。一体化した頭部を有するリベットが蓋１０に形成される（機械的部材２８として機能する）生産ラインにおいて（例えば図４、５、６、１９、２０を参照）、切り込み線１４の切り込みの後、機械的挟持部材２８は、それ自身があらかじめ蓋１０の正しい位置に配置される開蓋レバー１６で、有利に得ることができる。
【０１０３】
結果として、開蓋レバー１６は頭部２９ａ（図５）に直接関わっている。それから、頭部２９ａは一体化したリベットを形成するために平坦化され、機械的部材２８として機能し、蓋１０に開蓋レバー１６に結合する。このようにして、平坦化材料は、対応する外周部材５７を備えた上部当接頭部またはおおい２９を形成し、上記記載のように切り込み線１４に原則的に接触する。一般的に、平坦化行程は、材料の対称形および同一の変形で動作し、上部当接頭部２９（例えばディスク、プレートまたは類似の曲線の平坦要素のような）の軸対称形の曲線の形状（例えば円形の）を確定する。
【０１０４】
このようにして、我々は、時間を節約して、より良好な質を獲得し、反復を可能にする。しかし、無駄をなくすために、開蓋レバー１６が蓋１０と一体化するまで、開蓋レバー１６が必ず完全な位置に留まるよう保証する必要がある。
【０１０５】
例えば図２、５および６を用いて記載される、ここで記載されるすべての実施形態と組み合わせ可能でありえる、優先的な実施形態によって、例えば、可撓性タブ２６は開蓋レバー１６の縦軸に合わせられ配置され、特に、可撓性タブ２６は開蓋レバー１６と対称的であることもできる。封止部１２を伴う、押し留め（ｃｏｎｓｔｒａｉｎｔ）が前端支点２０側にあるので、例えば可撓性タブ２６は後部可動端部２２の方へ突出することができる。
【０１０６】
ここで記載されるすべての実施形態と組み合わせ可能でありえる、考えられる実施形態では、可撓性タブ２６は円（図２および１８を参照）の弧が定める外周部材を有することができる。
【０１０７】
考えられる実施形態において、可撓性タブ２６の反対側の、開蓋レバー１６の支点域において、前端支点２０は円の弧が定める外周部材を有することができる。そして、前部支点要素（図２）を構成することができる拡張部または突起２０ａを備えることができる。
【０１０８】
例えば、可撓性タブ２６の外周部材を定める円の弧は、切り込み線１４（特にその前部１８）と交差する理論上の円の一部であることができる。
【０１０９】
考えられる実施では、開口２４および可撓性タブ２６は、円の弧が定める外周部材を有することができる。
【０１１０】
例えば、円の弧が開口２４を周辺的に定める場合、蓋１０が閉じている場合（図２を参照）、開口２４は曲線を成す小穴であることができる。開口２４が定める曲線を成す小穴（可撓性タブ２６を定める）および内部に含まれる機械的部材２８によって、効果的に、機械的部材２８が定める抵抗地点に揚力を集中させて、全体として封止部１２を容易に引けるようにする。
【０１１１】
考えられる実施では、上記のように、機械的部材２８が切り込み線１４の前部１８に接触するいずれの場合も、可撓性タブ２６の円の周辺弧が定める理論的な円の中心に原則的に機械的部材２８を配置することができる。
【０１１２】
この有利な解決法において、結果として、開口２４が定める曲線を成す小穴は、機械的部材２８を対称的に囲むことができる。そして、封止部１２の分離に対する信頼性および精度を上昇させさえする。
【０１１３】
図２、３および４を、本明細書による、ここで記載されるすべての実施形態と組み合わせ可能でありえる、蓋１０の実施形態を記載するために用い、そして蓋１０は、封止壁３０を備える（例えば図２、３、１８および２２を参照）。考えられる実施では、切り込み線１４は、封止壁３０上に作られる。封止壁３０は通常は円形で、確定した半径Ｒ（例えば図４および２２を参照）を有することができる。例えば、半径Ｒの長さは、２２〜２４ｍｍ（特に２２．５〜２３．５ｍｍ）でありえる。
【０１１４】
考えられる実施形態によれば、封止壁３０は、第一面または上面３２および、逆の第二面または下面３３を備えることができる。通常、容器１１が蓋１０を備えるときに第一面３２は容器１１の外側に面し、第二面３３が内側に面する。ここに記載されるいくつかの実施形態によれば、開蓋レバー１６は、第一面３２より上に配置される。
【０１１５】
ここに記載されるいくつかの実施形態によれば、蓋１０は環状の周溝３４を備えることができ、環状の周溝３４は封止壁３０を囲むことができる。環状の周溝３４は、内側に環状の外周縁３６を定めることができる。環状の外周縁３６は、封止壁３０の環状周縁の限度を定めることができる。従って、封止壁３０の半径Ｒは、封止壁３０の中心から環状の周溝３４まで伸びる（図４）。
【０１１６】
考えられる実装では、へこみに対する強い抵抗（弾力さえある）を生じるように、環状の外周縁３６は少なくとも垂直であるかほぼ垂直な端を備えることができる。
【０１１７】
環状の周溝３４の外側に、環状の外周突起部３５を設けることができる。このようにして、例えば長さが対称形または非対称でありえる分岐を有し、基本的にＵ型で構成する蓋１０の環状の周縁部により横断面を定めることができる。図３および８において、例えば、環状の周溝３４、環状の外周突起部３５および環状の外周縁３６がない形態を確認することができる。
【０１１８】
ここで記載されるすべての実施形態と組み合わせ可能でありえる考えられる実施形態によれば、開蓋レバー１６には、環状の外周縁３６の近く、すなわち、ごく近接した位置に前端支点２０を配置することができる（例えば図２、３および４を参照）。これらの考えられる実施形態において、開蓋レバー１６には、蓋１０の中央に近い位置に配置する後部可動端部２２を配置することもできる。
【０１１９】
ここで記載されるすべての実施形態と組み合わせ可能でありえる、例えば図１６を参照して記載される他の考えられる実施形態によると、開蓋レバー１６には、蓋１０の中央に近い位置で、前端支点２０を配置することができ、したがって、開蓋レバー１６は、環状の外周縁３６のより近くで、すなわち隣接して配置する後部可動端部２２を備えることができる。
【０１２０】
さらに他の実施形態において、前端支点２０および後部可動端部２２を、中央と外周縁間の中間位置に配置するように、開蓋レバー１６を配置することができる。
【０１２１】
ここで記載されるすべての実施形態と組み合わせ可能でありえる、例えば実質的に円筒状形状でありうる容器１１を閉じるために配置する蓋１０の実施形態を記載するために、本来公知で図面に示さない（いずれかの公知タイプ）外側の横面４０および底部とともに、図１、２、３および４を用い、上記のように、直径は蓋１０より大きく（また、直径は蓋１０より小さいか等しく）設けることもできる。
【０１２２】
ここで記載されるすべての実施形態と組み合わせ可能でありえる、考えられる実施形態によると、蓋１０の形状は実質的に円形で、容器１１の中央軸線Ｙに対して同心であることができる（図４）。
【０１２３】
いくつかの実施形態において、環状の外周突起部３５は、確定した直径「Ｄ」を有して、環状の外周縁３６を定める、蓋１０（特に封止壁３０）の中央面４２を囲むことができる。中央面４２は、第一表面３２の一部であることができる。
【０１２４】
考えられる実施形態において、各々に代わるものとして、中央面４２を、完全または少なくとも部分的に平坦または丸く設けることができる。
【０１２５】
考えられる実施形態によれば、切り込み線１４を中央面４２に作ることができる。上述のように、いくつかの考えられる実施形態において、切り込み線１４は開いた外形構成でありえる。または、他の実施形態では、切り込み線１４は閉じた外形構成でありえる。
【０１２６】
例えば、切り込み線１４は、特に前部１８に対応していて、少なくとも部分的に円形の形状、卵形、またはしずく形である。
【０１２７】
他の考えられる実施形態において、切り込み線１４は特定の位置で下がるか可変の横断面を有することができ、封止部１２の境界を区切ることができる。
【０１２８】
ここで記載されるすべての実施形態と組み合わせ可能でありえる、考えられる実施形態において、突出集中部４４と共に、前部１８の付近に切り込み線１４を設けることができる。突出集中部４４は、例えば先細形状、または例えば先端がとがっている形状、例えば犬歯状、または鼻形状であってもよい。
【０１２９】
例えば、蓋１０の正中の縦軸に対して２つの対称形の曲線部２１により前部１８を形成することができ、そして、曲線部２１は、突出集中部４４を定めるために合流する。
【０１３０】
容易かつ正確に引くことができるように、特に引っ張り、持ち上げ始める時に、特定または限られた位置で、材料に作用する応力線に突出集中部４４を集中させるように構成することができる。
【０１３１】
前部１８に実質的に接する機械的部材２８の配置は、所望かつ所定域において、応力集中を極めて有利にすることができ、信頼性が高く反復可能に引く動作を行うことができる。
【０１３２】
実質上、突出集中部４４は、そこから裂け目が始まりそして広がる特定の点または点の集合を表し、そして、封止部１２を持ち上げ、切り離すことが可能となる。すなわち、突出集中部４４の構成が、封止部１２を引いて注出開口部１５を開く開蓋動作を容易にする。
【０１３３】
通常、蓋１０と連続する材料で構成される封止部１２が、容器１１から内容物が出てくるように作られる、対応する注出開口部１５を閉塞する。
【０１３４】
特に、容器１１の閉じた構成において、封止部１２は注出開口部１５を完全かつ密封して閉じるが（例えば図１、２、３および４を参照）、開いた構成では（例えば図７、８、９、１０および１１を参照）、封止部１２は、注出開口部１５から少なくとも部分的に持ち上げられるが、まだ、容器１１の残部と一体化したままである。
【０１３５】
上記のように、閉じた状態で、少なくとも部分的に重なる開蓋レバー１６と一体化させ、封止部１２を取り付けることができる。
【０１３６】
切り込み線１４に沿って、封止部１２を蓋１０の残部から持ち上げ切り離すために、後部可動端部２２によって、開蓋レバー１６を手動で回転できるようにすることができる（例えば図９、１０および１１を参照）。
【０１３７】
例えば、把持リング２５への動作で、その前端支点２０周辺で開蓋レバー１６を回転させることができる。
【０１３８】
これにより、開蓋レバー１６の中間部材２３を中央面４２から遠ざけるようにできる。そして、注出開口部１５が開き始めるように、封止部１２の対応する部分的な分離が、切り込み線１４の好ましい切断点（例えば突出集中部４４付近でありうる）から始まる。特に、切り込み線１４に基本的に接する、機械的部材２８の位置決めのおかげで、切断の始まりは非常に効力があり、正確で、局所化される。
【０１３９】
中間部材２３と可撓性タブ２６間の、そして、可撓性タブ２６と封止部１２間の、前端支点２０と接続域が近くにあるので、そして、機械的部材２８が前端支点２０から最小の距離であることを考えれば、開蓋レバー１６は、少しの力で、高い角運動を利用することができる極めて好ましい手段となることができる。
【０１４０】
さらにまた、切り込み線１４に隣接した作用点で、原則的に切り込み線１４に接する位置または限られた位置（特に切り込み線１４の前部１８、例えば切り込み線１４の突出集中部４４近く）で、そして、容器１１の外側への回転と一緒に、開蓋レバー１６の引く力を利用する。
【０１４１】
例えば図２を用いて記載され、ここで記載されるすべての実施形態と組み合わせ可能でありえる、いくつかの実施形態によれば、領域４８（蓋の中央面４２の厚さが薄くなっている）は、切り込み線１４の前部１８の近くに設けられ、封止部１２を切り込み線１４に沿って更に容易に引けるようにする。
【０１４２】
従って、切り込み線１４に沿って封止部１２を持ち上げるために必要な力が、衛生的な封止部を有する容器（技術水準のような、外側に開く封止部）と比較されるだけでなく、広く分布され利用されることは、前記説明から明白であり、結果、動作が一定で、正確で、反復可能で信頼性が高い分離を可能にする（例えば図９参照）。
【０１４３】
特に、機械的部材２８の抵抗により、切り込み線１４（特に前部１８）に正確に一致する、最初の引っ張りによって直ちに持ち上げられる、封止部１２の最初の分離が生じる。そして、内部に含まれる物質を汚染する、最小部または端さえ容器１１内に入るのを防止する。
【０１４４】
開蓋レバー１６の上方へ遠ざかっているもう一端は、封止部１２を中央面４２から切り離すようにすることができる（例えば図１０を参照）。
【０１４５】
開蓋レバー１６上で回転させ、引き続けると、可撓性タブ２６は、曲げ端部３７に沿ってそれ自体次第に曲がる。そして、蓋１０と一体化するいずれの場合も、折り畳まれた構成である封止部１２の次の位置決めを可能とする（図１１および１２）。
【０１４６】
例えば図２を用いて記載され、ここで記載されるすべての実施形態と組み合わせ可能でありえる、いくつかの実施形態によれば、接続端５０を有する後部に封止部１２を設けることができ、そして、その形状は、切り込み線１４の後部分（例えば中間にある２箇所の平行部分１７）が定める、例えば実質的に矩形でありえる。蓋１０の開いた構成においてさえ（例えば図５および１１参照）、封止部１２が完全に分離するのを防止するように、接続端５０は、蓋１０の残部分（特に中央面４２）に、封止部１２をしっかりと結合することができる。
【０１４７】
例えば、中間の平行部分１７は片側では前記対称形の曲線部分２１につながることができる一方、もう片側では、切り込み線１４の末端の分岐１９で終了することができる。
【０１４８】
特に、設けられる場合、末端の分岐１９は各々対称でありえて、切り込み線１４の外側に曲げられる。すなわち、接続端５０の中央軸に対して反対方向に始まる曲線部分として構成することができる（例えば図２を参照）。例えば、末端の分岐１９を、封止壁３０（例えば環状の外周縁３６に近い）の中央面４２周辺の位置に設けることができる。例えば、接続端５０を細長い形態をすることにより達成することができる。
【０１４９】
例えば図１５を参照して記載され、そして、ここで記載されるすべての実施形態と組み合わせ可能でありえる、他の考えられる実施形態において、例えば、末端の分岐１９は、中央面４２の中間または、中心位置に設けることができる。この場合、接続端５０はより短い形態でありえる。
【０１５０】
好ましくは、接続端５０の後ろに設ける末端の分岐１９は、弾性のあるコネクタとして機能することができ、一旦開かれると、封止部１２の局所的な弾性反応を許容することができ、例えば使用者への危険を減少させる。
【０１５１】
例えば、末端の分岐１９は、開蓋レバー１６の真ん中の縦軸に対して直角であることができ、したがって、完全に容器１１を開くように、開蓋レバー１６および封止部１２（一体化される）が引かれる、開口の方向に対しても直角でありえる。結果として、末端の分岐１９は、容器を開く間に、切断部が過剰かつ不必要に開くのを防止するよう機能することができ、危険な切刃の形成を防止する。
【０１５２】
例えば図１および２を用いて記載され、ここで記載されるすべての実施形態と組み合わせ可能でありえる、いくつかの実施形態によれば、蓋１０は、閉じた補強端または段５２（例えば封止壁３０の中央面４２に作られる）が、外周に定められることができる補強支持部５１を備えることもできる。補強端５２は蓋１０を補強するために適切な外周突起部を構成することができる。そして、封止部１２は引っぱりに効果的に抵抗する。
【０１５３】
特に、ここで記載されるすべての実施形態と組み合わせ可能でありえる、いくつかの実施形態によると、補強支持部５１は、中央面４２のある平面に対して、凹設されるかまたは低い高さとされる。例えば、図１８および１９を用いて後述するくぼみ７２を参照のように、補強支持部５１の補強端５２は、段をつけられるか、またはより低い面として構成することができる。
【０１５４】
この目的のために、封止部１２を取り除くために必要である上方向への引きに対して、より強い効果で抵抗するように、中央面４２にある平面より低い平面に補強支持部５１が位置するように、補強端５２を形づくることができる。このようにして、封止部１２を引っぱり持ち上げる間の、中央面４２の可能性がある変形は、最低限に減少させることができる。
【０１５５】
上述のように補強端５２および、補強支持部５１（更に調整した方法で）は、少なくとも容器１１の閉じた構成で、閉じた外周外形を有することができ、封止部１２および開蓋レバー１６を完全に囲むことができる（例えば図２参照）。
【０１５６】
例えば、補強端５２を切り込み線１４周辺に環状で作ることができる。その結果、封止部１２および開蓋レバー１６は実質的に補強支持部５１の内側となる。
【０１５７】
従って、補強端５２（すなわち、補強支持部５１に含む）内側で、例えば適切な弾性を得るために、例えば補強端５２に隣接して末端の分岐１９を設けることができる（例えば図２を参照）。
【０１５８】
例えば図２を用いて記載され、そして、ここで記載されるすべての実施形態と組み合わせ可能でありえる、いくつかの実施形態において、通常、開蓋レバー１６の支点が適用される前端支点２０を有する実質的な関係および配列で、補強端５２を、前端の低くなった域５３と一緒に前端に設けることができる。従って、前端の低くなった域５３により、軸となる域の材料の所望の局所的なへこみを作成することができ、これは引く動作が始まるときに役立つことができる。
【０１５９】
図１７は、ここで記載されるすべての実施形態と組み合わせ可能でありえる実施形態を提供する。ここでは、蓋１０は、補強支持部５１および対応する補強端５２を有することができない。
【０１６０】
ここで記載されるすべての実施形態と組み合わせ可能でありえる、実施形態を記載するために、図１８、１９および２０を用いる。ここでは、蓋１０は、くぼみおよび／または隆起および／またはスタッドを備えている。そして、一方では内部にありうるガスの圧力のために使用の間に変形しないように、蓋１０の上部を堅くするのに役立ち、また一方では、特に製造サイクルの間および機械的部材２８が作られる前に、完全に開蓋レバー１６を配置するように設計される。そして、互いに蓋１０および開蓋レバー１６を一体化させる。
【０１６１】
特に、ここで記載されるすべての実施形態と組み合わせ可能でありえる、図１８および１９に設けられる実施形態において、蓋１０は横方向の中心合わせ突起部６０を備えている。そして中心合わせ突起部６０は、開蓋レバー１６の前端の外側縁部を中央にするために、開蓋レバー１６の前端の外側縁部と協働する。横方向の中心合わせ突起部６０は、蓋１０の中央の軸Ａに対して、好ましくは位置合わせされる（図１８）。
【０１６２】
横方向の中心合わせ突起部６０は、特に前端支点２０側、切り込み線１４の外側で、特に開蓋レバー１６の前方に配置される。
【０１６３】
例えば、２つの隆起６０を設けることができ、そして、開蓋レバー１６に対してそれぞれ対称形で配置される。例えば、合流する方向で、横方向の中心合わせ隆起６０を、中央の軸Ａに対して傾け設けることができる
【０１６４】
更には、例えば前端支点２０を定める開蓋レバー１６の端部との実質的に対応して、合流する傾斜方向（傾斜する延長部は蓋１０の大部分の内部で交差する）に、横方向の中心合わせ隆起６０を配置することができる。
【０１６５】
正しく開蓋レバー１６を中央に置くよう、横方向の基準要素として機能するために、横方向の中心合わせ隆起６０は、蓋１０の上側面から突出して設けられる。
【０１６６】
ここで記載されるすべての実施形態と組み合わせ可能でありえる、図１８および１９に示される他の実施形態において、蓋１０は、レバー位置決めスタッド６２を備える。そしてレバー位置決めスタッド６２は、特にそれぞれの中間ゾーン２３に対応して、更には開口２４および把持リング２５の穴２５ａの間で、上記の開蓋レバー１６の方へ封止部１２から突出して作られる。
【０１６７】
考えられる実装では、２つのレバー位置決めスタッド６２は、開発され、開蓋レバー１６の下に作られ、中央の軸Ａに関して対称形である。蓋１０の平面に対して正しく開蓋レバー１６を配置するために、レバー位置決めスタッド６２を設ける。
【０１６８】
ここで記載されるすべての実施形態と組み合わせ可能でありえる、図１８、１９および２０に設けられる他の実施形態において、中心スタッド６４を有する蓋１０が作られる。そして、中心スタッド６４は封止部１２から突出して作られ、開蓋レバー１６の把持リング２５の内側と協働する。
【０１６９】
特に、中心スタッド６４は、中央の軸Ａに沿って配置され、把持リング２５の穴２５ａを中心とする。開蓋レバー１６の正確な軸の中心合わせを改良し保証するために、中心スタッド６４は研究された。
【０１７０】
ここで記載されるすべての実施形態と組み合わせ可能でありえる、図１８および１９に示される他の実施形態において、可撓性タブ２６および付随する機械的部材２８の付近に、開蓋レバー１６の上部に作られるくぼみ域６６（図１８）を有する蓋１０が作られる。型の構成に応じて、くぼみ６６の面積は、機械的部材２８の製造の間のシート・プレス・ゾーンとして設けることができる（例えば図５および６を示す）。例えば、くぼみ域６６は、外側へ向かう角度領域（例えば犬歯、特にＶ型域、または相似または相当する形状）を有する域を提供することができ、前端支点２０の方へ伸び、開蓋レバー１６と協働する。機械的部材２８を生成するときに、開蓋レバー１６の中心化を保証して維持するために、例えばＶ型のゾーンを設けることができる。
【０１７１】
ここで記載されるすべての実施形態と組み合わせ可能でありえる、図１８および１９に示される他の実施形態において、原則的に開蓋レバー１６の前端支点２０の下に、切り込み線１４の外側で、開蓋レバー１６の方へ蓋１０から突出して作られる、中心支持隆起６８を有する蓋１０を作製する。
【０１７２】
中心支持隆起６８（中央の軸Ａに合わせられる）を、開蓋レバー１６を支持して正しく位置するために設ける。
【０１７３】
特に、開蓋レバー１６の前端支点２０は、開蓋レバー１６の動きを容易にするために、中心支持隆起６８と協働するよう考案された。
【０１７４】
ここで記載されるすべての実施形態と組み合わせ可能でありえる、図１８、１９および２０に示される他の実施形態において、中心補強および補強スタッド７０（封止部１２から外側に突出して作製）を有する蓋１０を、封止部１２およびその位置決めの製造を改善するために作製する。例えば中間の平行部分１７と対応させ、中心補強および補強スタッド７０（中央の軸Ａに合わせられる）を、好ましくは封止部１２の制限域に対応して、そして末端の分岐１９よりずっと前方に、設ける。このように、封止部１２が開くときに、一方では開口が伸び、もう一方では封止部１２が作る細長い形は、より少ない乱流で、容器内部で空気を移動させるのを容易にしておよび／または液体が外に出るのを助ける。例えば、容器内にビール、または多くの泡を生じる類似の炭酸飲料があるとき、この効果は非常に有利である。この場合、前端支点２０と、中心補強および補強スタッド７０間の封止部１２の一部の幅は、封止部１２の実質的に平行である辺を有する域の、１．７〜３．０倍（好ましくは２．０〜２．２倍）までと仮定することができる。ここで、実質的に平行である辺の概念が、互いに異なる辺または、選択的な曲線を有する辺を含有するかまたは含む図形概念である点に注意されなければならない。
【０１７５】
さらにまた、封止部１２の構造を堅くすることによって、封止部１２が完全に開かれた後でも、末端の分岐１９が封止部１２の弾性機能を維持するので、中心補強および補強スタッド７０の存在は、末端の分岐１９がある場合に有利である。そして、蓋１０の切断および切断よる最終的な分離が起こらないようにする。事実、封止部１２が徐々に、そして最後まで開かれるにつれて、封止部１２が受ける材料の物理的な応力は中心補強および補強スタッド７０によって吸収される。そして、その物理的な応力が末端の分岐１９と対応する材料上に放出するのを防止する。
【０１７６】
ここで記載されるすべての実施形態と組み合わせ可能でありえる、図１８および１９に示される他の実施形態において、深さが前端支点２０の方へ次第に浅くなる、くぼみ７２（補強端７４が区切る）を有する蓋１０を、容器内部の推力に対して蓋１０の表面を補強するために、作製する。くぼみ７２（蓋１０の上側面に対して凹設されるかまたはより高くされる）を、深さが浅くなる端部を有する変形例を表す、図１および２を用いて記載される、補強支持部５１として同様に構成することができる。
【０１７７】
ここで記載されるすべての実施形態と組み合わせ可能でありえる、図２２および２３は本明細書による蓋１０の、他の変形例実施形態を記載するために用いる。そして、持ち上げ引くことが始まる域で、開蓋レバー１６の前端支点２０の方へ、機械的部材２８と対応して、切り込み線１４は前端部に、外側に突出する部分７６を有する。
【０１７８】
この場合、突出部７６は、前端支点２０と上記の開蓋レバー１６の把持リング２５の間の中間位置に作られ、そして、長手方向で蓋１０の中央軸Ａに合わせられる。具体的には、突出部７６は、蓋１０の封止壁３０の外側へ延びる。そして、前方へ、切り込み線１４の主要な伸びが定める曲線のエンベロープに対して封止壁３０を囲む環状の外周突起部３５に向かう。
【０１７９】
凸面、突出部、鼻、くちばし状、峰または外側に突出する他の同様な形で、突出部７６を定めることができる。すなわち、切り込み線１４の主要な（主軸の）伸びに対して前方へ伸びる。例えば、円弧または扇形で、または、再び楕円分または相似湾曲（例えば卵円透明部分）で、突出部７６を定めることができる。
【０１８０】
本明細書によれば、機械的部材２８は、切り込み線１４の突出部７６に原則的に接する。ここで、「原則的に接する」または「接する」の定義およびこの配置につながる有利な技術的効果のために、図１〜２０を用いて記載される実施形態のために与えられるものとして、同じ考慮がなされる。
【０１８１】
ここで記載されるすべての実施形態と組み合わせ可能でありえる、いくつかの実施形態によると、突出部７６は、少なくとも２つの特徴的なサイズＷ１およびＷ２を有する。そして、それぞれ、中央の軸Ａに対して横方向（特に直角）で検討される突出部７６の最大のベース幅（Ｗ１）、および、長手方向に中央の軸Ａに合わせて検討される突出部７６の最長の長さ（Ｗ２）として、ここに定義される（図２２および２３を参照）。
【０１８２】
可能性がある変形例実施形態によれば、突出部７６のベース幅Ｗ１は、約４．８ｍｍ〜約５．２ｍｍである。
【０１８３】
具体的に、可能性がある変形例によると、封止部１２（封止部１２が定める注出開口部１５）の最大幅Ｗに対するその比率（Ｗ１／Ｗ、図２３参照）が、約０．１８〜約０．２３（特に約０．１９〜０．２２）となるように、突出部７６のベース幅Ｗ１を選択する。
【０１８４】
他の可能性がある変形例実施形態によれば、突出部７６の長さＷ２は約３．８ｍｍ〜約４．２ｍｍである。
【０１８５】
具体的には、いくつかの変形例によると、封止壁３０の半径Ｒ（Ｗ２／Ｒ、図２２と結合させ図２３参照）に対するその比率が約０．１５〜約０．２０（特に約０．１６〜０．１９）となるように、突出部７６の長さＷ２は選択される。本発明によれば、上記のような（上記のようにその変形例も含む）切り込み線１４の突出部７６を供給することにより、例えば炭酸飲料の場合、ガスが出るときに、開く第一工程で起こりうる、放出／破裂の現象につながる課題またはデメリットを好ましくは解決する。
【０１８６】
具体的には、突出部７６の存在によりガスを最初に排気させ、ガスが単一の溶液内部から激しくかつ、原則として瞬間的に出る（蓋１０および／または容器１１にダメージを与え変形させる）のを防止する。
【０１８７】
従って、突出部７６を提供することによって、例えば次に続く開く工程の間、そして蓋１０および／または容器１１を損傷させるようないずれの場合でも、放出／破裂の影響を制限するために、第一にガスを強く放出させる。そしてその後、上記のように封止部１２を開き続けて、蓋１０の下の容器１１の上部空間に存在するガスを、制御した安全な方法で逃がすことができる。原則的に、封止部１２がおよそ蓋１０の中心線に対応している限り、封止部１２を持ち上げるときに、ガスの大部分は外に出る。
【０１８８】
好ましくは、突出部７６に対応する封止部１２を開くときに、最初に「強く」ガスを排気することにより生じる内部から上方への推力が、開蓋レバー１６を持ち上げる使用者の上方へ引く動作にさらに加わり、そして、この上方へ引く動作を容易にする。そして、この動作は、ガスによる内部からの推力に助けられ集積されるので、結果、より少ない労力で実施することができる。従って、可能性がある、放出／破裂の課題を解決することと同様に、突出部７６の存在も、ここで記載される他の特徴を有する相乗効果を引き起こす。そして、開蓋レバー１６を用いて封止部１２の開口を容易にする。
【０１８９】
ここまで述べた物質入り容器のための蓋１０、そして、その蓋を備える物質入り容器１１に対して、本発明の分野及び範囲から逸脱することなく各部の修正及び／又は追加を行うことができることは明らかである。
【０１９０】
本発明をいくつかの具体例を参照して記載したが、当業者が、物質入り容器のための蓋１０の、そして、その蓋を備える物質入り容器１１に対する多くの他の同等の形状を達成することが確実に可能であることは明白でもあり、請求項にて説明するような特徴を有していて、それ故、すべてここに定められる保護範囲内となる。
【図１】
0006650403.tif 000002
【図２】
0006650403.tif 000003
【図３】
0006650403.tif 000004
【図４】
0006650403.tif 000005
【図４ａ】
0006650403.tif 000006
【図４ｂ】
0006650403.tif 000007
【図５】
0006650403.tif 000008
【図６】
0006650403.tif 000009
【図７】
0006650403.tif 000010
【図８】
0006650403.tif 000011
【図９】
0006650403.tif 000012
【図１０】
0006650403.tif 000013
【図１１】
0006650403.tif 000014
【図１２】
0006650403.tif 000015
【図１３】
0006650403.tif 000016
【図１４】
0006650403.tif 000017
【図１５】
0006650403.tif 000018
【図１６】
0006650403.tif 000019
【図１７】
0006650403.tif 000020
【図１８】
0006650403.tif 000021
【図１９】
0006650403.tif 000022
【図２０】
0006650403.tif 000023
【図２１ａ】
0006650403.tif 000024
【図２１ｂ】
0006650403.tif 000025
【図２１ｃ】
0006650403.tif 000026
【図２２】
0006650403.tif 000027
【図２３】
0006650403.tif 000028